(57)【特許請求の範囲】
【請求項１】
離型紙と、離型紙の離型面に粘着面を介して貼着された粘着テープと、粘着テープを覆って離型紙および粘着テープにわたって粘着面を介して貼着された保護テープと、から構成され、前記粘着テープは、角穴パンチキャリヤ形テーピングの送り穴と干渉することなくトップカバーテープまたはボトムカバーテープに貼着可能な第１粘着テープと、第１粘着テープから設定間隔をおいて配置され、角穴パンチキャリヤ形テーピングの送り穴と干渉することなくボトムカバーテープまたはトップカバーテープに貼着可能な第２粘着テープとを備え、また、離型紙に一対の折り目が形成され、第１粘着テープを角穴パンチキャリヤ形テーピングのトップカバーテープまたはボトムカバーテープに貼着する際、離型紙を一対の折り目に沿って折り込んで保護テープに対して略直交する支持部を形成し、離型紙の支持部に角穴パンチキャリヤ形テーピングの側端縁を支持することを特徴とする角穴パンチキャリヤ形テーピングの接続用テープ。
【請求項２】
前記粘着テープが角穴パンチキャリヤ形テーピングを構成する角穴パンチキャリヤテープの色と異なる色を有していることを特徴とする請求項１記載の角穴パンチキャリヤ形テーピングの接続用テープ。
【請求項３】
前記離型紙には、上下端縁部にそれぞれ切り込みが形成され、折り目に沿って折り返して重ね合わせた離型紙の上下端縁部の切り込み同士を係止させることを特徴とする請求項１または２記載の角穴パンチキャリヤ形テーピングの接続用テープ。
【請求項４】
請求項１記載の接続用テープを用いて新しい角穴パンチキャリヤ形テーピングの始端部と、旧い角穴パンチキャリヤ形テーピングの終端部とを接続する接続方法であって、接続用テープの保護テープから離型紙の上下一半部を剥離して一対の折り目に沿って折り込み、支持部を形成した後、新旧一方の角穴パンチキャリヤ形テーピングの端部の側端縁を離型紙の支持部に支持し、新旧一方の角穴パンチキャリヤ形テーピングの端部のトップカバーテープもしくはボトムカバーテープに第１粘着テープの略一半部を貼着し、次いで、新旧他方の角穴パンチキャリヤ形テーピングの端部の側端縁を離型紙の支持部に支持し、新しい角穴パンチキャリヤ形テーピングの始端部の端縁と旧い角穴パンチキャリヤ形テーピングの終端部の端縁を突き合わせて、新旧他方の角穴パンチキャリヤ形テーピングの端部のトップカバーテープもしくはボトムカバーテープに第１粘着テープの残半部を貼着した後、離型紙を保護テープから剥離して保護テープを折り返し、第２粘着テープを新旧の角穴パンチキャリヤ形テーピングの端部のボトムカバーテープもしくはトップカバーテープにわたって貼着することを特徴とする接続用テープを用いた角穴パンチキャリヤ形テーピングの接続方法。
【発明の詳細な説明】
【０００１】
【発明の属する技術分野】
本発明は、キャリヤ形テーピング、特に角穴パンチキャリヤ形テーピングの接続方法およびその接続用テープに関するものである。
【０００２】
【従来の技術】
一般に、プリント回路基板に実装される抵抗器、コンデンサなどの電子部品の表面実装部品は、角穴パンチキャリヤ形テーピングを介して自動実装機器に供給されている。すなわち、図１０および図１１に示すように、角穴パンチキャリヤ形テーピング１０は、設定された送り穴ピッチをおいて送り穴１１ａが形成されるとともに、設定された装着穴ピッチをおいて角穴装着穴１１ｂが形成された紙もしくはプラスチック製の角穴パンチキャリヤテープ１１と、この角穴パンチキャリヤテープ１１の角穴装着穴１１ｂの上面を覆うために貼着されたトップカバーテープ１２と、角穴パンチキャリヤテープ１１の角穴装着穴１１ｂの下面を覆うために貼着されたボトムカバーテープ１３とから構成され、コンデンサなどの電子部品の表面実装部品は、極性などを考慮して角穴パンチキャリヤテープ１１の角穴装着穴１１ｂに収納され、その上下面にトップカバーテープ１２およびボトムカバーテープ１３がそれぞれ貼着されることにより被覆されている（ＪＩＳＣ０８０６参照）。
【０００３】
そして、リール１４に巻き取られた角穴パンチキャリヤ形テーピング１０は、実装時において引き出されて自動実装機器に供給され、トップカバーテープ１２が角穴パンチキャリヤテープ１１より徐々に剥離されながら、各角穴装着穴１１ｂに収納されている表面実装部品が吸着などによって取り出され、プリント回路基板に実装されるようになっている。
【０００４】
ところで、前述した角穴パンチキャリヤ形テーピング１０は、リール１４に巻き取られて引き出されることから、設定長さの角穴パンチキャリヤ形テーピング１０に収納された設定個数の表面実装部品の実装が終了すれば、新しい角穴パンチキャリヤ形テーピング１０に交換する必要がある。この場合、実装機器による実装作業を中断すれば、作業効率が低下するため、実装作業を中断することなく、かつ、角穴パンチキャリヤ形テーピング１０の円滑な供給を阻害することなく旧い角穴パンチキャリヤ形テーピング１０の終端部と新しい角穴パンチキャリヤ形テーピング１０の始端部を接続テープを用いて接続することが知られている（例えば、出願人の出願に係る特開２０００−３８２４２号公報参照）。
【０００５】
【発明が解決しようとする課題】
ところで、前述した角穴パンチキャリヤ形テーピングの接続テープは、その送り穴に合わせて粘着テープに送り穴を形成する関係上、コストがかさむとともに、角穴パンチキャリヤ形テーピングの送り穴の穴径に一致する外径の複数本のピンを送り穴ピッチで植設した接続用治具を備えていない場合、角穴パンチキャリヤ形テーピングの送り穴を粘着テープの送り穴に合わせて貼着しなければならず、作業が煩雑になるという欠点があった。
【０００６】
本発明は、このような問題点に鑑みてなされたもので、角穴パンチキャリヤ形テーピングの円滑な供給を阻害することなく、かつ、コストを削減して角穴パンチキャリヤ形テーピングを簡単確実に接続することのできる角穴パンチキャリヤ形テーピングの接続用テープおよび接続用テープを用いた角穴パンチキャリヤ形テーピングの接続方法を提供するものである。
【０００７】
【課題を解決するための手段】
本発明の角穴パンチキャリヤ形テーピングの接続用テープは、離型紙と、離型紙の離型面に粘着面を介して貼着された粘着テープと、粘着テープを覆って離型紙および粘着テープにわたって粘着面を介して貼着された保護テープと、から構成され、前記粘着テープは、角穴パンチキャリヤ形テーピングの送り穴と干渉することなくトップカバーテープまたはボトムカバーテープに貼着可能な第１粘着テープと、第１粘着テープから設定間隔をおいて配置され、角穴パンチキャリヤ形テーピングの送り穴と干渉することなくボトムカバーテープまたはトップカバーテープに貼着可能な第２粘着テープとを備え、また、離型紙に一対の折り目が形成され、第１粘着テープを角穴パンチキャリヤ形テーピングのトップカバーテープまたはボトムカバーテープに貼着する際、離型紙を一対の折り目に沿って折り込んで保護テープに対して略直交する支持部を形成し、離型紙の支持部に角穴パンチキャリヤ形テーピングの側端縁を支持することを特徴とするものである。
【０００８】
本発明によれば、新旧の角穴パンチキャリヤ形テーピングを第１粘着テープおよび第２粘着テープを介して確実に接続することができるとともに、第１粘着テープおよび第２粘着テープは、角穴パンチキャリヤ形テーピングの送り穴を塞ぐことなくそれらの端縁部のトップカバーテープおよびボトムカバーテープにわたって貼着されるため、角穴パンチキャリヤ形テーピングを供給する際、支障をきたすことがない。また、離型紙を一対の折り目に沿って折り込むことにより、角穴パンチキャリヤ形テーピングの端縁部の支持部を形成することができることから、接続用治具を備えていない場合であっても、コストアップを招くことなく角穴パンチキャリヤ形テーピングを粘着テープに位置決めして簡単に貼着することができる。
【０００９】
本発明において、前記粘着テープが角穴パンチキャリヤ形テーピングを構成する角穴パンチキャリヤテープの色と異なる色を有していると、新旧の角穴パンチキャリヤ形テーピングの接続箇所を明瞭に把握することができる。
【００１０】
本発明において、前記離型紙には、上下端縁部にそれぞれ切り込みが形成され、折り目に沿って折り返して重ね合わせた離型紙の上下端縁部の切り込み同士を係止させると、離型紙を折り込んで重ね合わせ状態、すなわち、支持部を形成した状態を簡単に保持することができる。
【００１１】
本発明の接続用テープを用いた角穴パンチキャリヤ形テーピングの接続方法は、請求項１記載の接続用テープを用いて新しい角穴パンチキャリヤ形テーピングの始端部と、旧い角穴パンチキャリヤ形テーピングの終端部とを接続する接続方法であって、接続用テープの保護テープから離型紙の上下一半部を剥離して一対の折り目に沿って折り込み、支持部を形成した後、新旧一方の角穴パンチキャリヤ形テーピングの端部の側端縁を離型紙の支持部に支持し、新旧一方の角穴パンチキャリヤ形テーピングの端部のトップカバーテープもしくはボトムカバーテープに第１粘着テープの略一半部を貼着し、次いで、新旧他方の角穴パンチキャリヤ形テーピングの端部の側端縁を離型紙の支持部に支持し、新しい角穴パンチキャリヤ形テーピングの始端部の端縁と旧い角穴パンチキャリヤ形テーピングの終端部の端縁を突き合わせて、新旧他方の角穴パンチキャリヤ形テーピングの端部のトップカバーテープもしくはボトムカバーテープに第１粘着テープの残半部を貼着した後、離型紙を保護テープから剥離して保護テープを折り返し、第２粘着テープを新旧の角穴パンチキャリヤ形テーピングの端部のボトムカバーテープもしくはトップカバーテープにわたって貼着することを特徴とするものである。
【００１２】
本発明によれば、保護テープから離型紙を剥離し、一対の折り目に沿って折り込んで支持部を形成した後、新旧一方の角穴パンチキャリヤ形テーピングの端部の側端縁を離型紙の支持部に支持し、新旧一方の角穴パンチキャリヤ形テーピングの端部のトップカバーテープもしくはボトムカバーテープに第１粘着テープの略一半部を貼着する。次いで、新旧他方の角穴パンチキャリヤ形テーピングの端部の側端縁を離型紙の支持部に支持し、新しい角穴パンチキャリヤ形テーピングの始端部の端縁と旧い角穴パンチキャリヤ形テーピングの終端部の端縁を突き合わせて、新旧他方の角穴パンチキャリヤ形テーピングの端部のトップカバーテープもしくはボトムカバーテープに第１粘着テープの残半部を貼着する。その後、離型紙を保護テープから剥離して保護テープを折り返し、第２粘着テープを新旧の角穴パンチキャリヤ形テーピングの端部のボトムカバーテープもしくはトップカバーテープにわたって貼着することにより、新旧の角穴パンチキャリヤ形テーピングを確実に接続することができる。この際、第１粘着テープおよび第２粘着テープは、角穴パンチキャリヤ形テーピングの送り穴を塞ぐことなくトップカバーテープおよびボトムカバーテープに貼着されるため、角穴パンチキャリヤ形テーピングの供給に支障をきたすことはない。
【００１３】
また、離型紙に形成された一対の折り目に沿って折り込むことにより、第１粘着テープおよび第２粘着テープに合わせて角穴パンチキャリヤ形テーピングの側端縁を支持する支持部を形成することができることから、接続用治具を備えていない場合であっても、コストアップを招くことなく角穴パンチキャリヤ形テーピングを粘着テープに位置決めして簡単に貼着することができる。また、角穴パンチキャリヤ形テーピングの送り穴に対応する送り穴を形成した粘着テープが不要になるため、コストを削減することができる。
【００１４】
【発明の実施の形態】
以下、本発明の実施の形態を図面に基づいて説明する。
【００１５】
なお、図９および図１０に示した角穴パンチキャリヤ形テーピング１０の構成については、そのまま同一の符号を用いるものとする。
【００１６】
図１乃至図３には、本発明の角穴パンチキャリヤ形テーピング１０の接続用テープ１の一実施形態が示されている。
【００１７】
この接続用テープ１は、上面が離型処理された離型紙２と、離型紙２の上面に粘着面を介して貼着された粘着テープ３と、粘着テープ３の上面を覆うとともに、離型紙２および粘着テープ３の上面にわたって粘着面を介して貼着された保護テープ４と、から構成されている。
【００１８】
離型紙２には、上下方向の略中間部に左端縁から右端縁にかけて一対の折り目２ａ，２ｂが角穴パンチキャリヤ形テーピング１０の厚みＴとほぼ等しい間隔をおいて形成され、また、上下端縁部には、上下方向に向けて一対の切れ目２ｘ，２ｙがそれぞれ形成されている。このため、離型紙２の上半部を把持し、一対の折り目２ａ，２ｂに沿って折り込んで上下端縁部を重ね合わせることにより、一対の折り目２ａ，２ｂによって略水平な支持部２１を形成することができる（図３参照）。この際、上下端縁部に形成された切れ目２ｘ，２ｙを互いに差し込んで係止させることにより、離型紙２の上下端縁部の重ね合わせ状態を保持することができる。
【００１９】
粘着テープ３は、それぞれ下面に粘着剤が塗布された第１粘着テープ３１および第２粘着テープ３２からなり、厚みが５０〜１００μｍのポリエステルフィルムによって形成されている。そして、第１粘着テープ３１および第２粘着テープ３２は、角穴パンチキャリヤ形テーピング１０を構成する角穴パンチキャリヤテープ１１の色と異なる色を有し、上方から第１粘着テープ３１および若干の間隔をおいて第２粘着テープ３２の順に離型紙２の上面に貼着されている。このため、後述するように、第１粘着テープ３１および第２粘着テープ３２によって接続された新旧の角穴パンチキャリヤ形テーピング１０，１０の接続部分を明瞭に把握することができるとともに、第１粘着テープ３１および第２粘着テープ３２をそれぞれ各別に剥離することができる。
【００２０】
この場合、第１粘着テープ３１は、その下端縁が離型紙２に形成された下方の折り目２ｂにほぼ沿うように、離型紙２に貼着されている。
【００２１】
保護テープ４は、上端縁部に粘着テープ３の色と異なる色の離型部４１を有する透明なポリエステルフィルムであって、離型部４１を除く下面に粘着剤が塗布されている。そして、保護テープ４は、粘着テープ３の第１粘着テープ３１および第２粘着テープ３２を十分に覆う大きさに形成されて、離型紙２の上面および離型紙２の上面に貼着された粘着テープ３の第１粘着テープ３１および第２粘着テープ３２の上面に離型部４１を除いて貼着されている。
【００２２】
ここで、粘着テープ３の第１粘着テープ３１のテープ幅ｗ１および第２粘着テープ３２のテープ幅ｗ２は、角穴パンチキャリヤ形テーピング１０のトップカバーテープ１２（ボトムカバーテープ１３）のテープ幅Ｗ１と等しく設定されている。また、第１粘着テープ３１の下端縁から第２粘着テープ３２の上端縁間の間隔ｔは、角穴パンチキャリヤ形テーピング１０の厚みＴと等しいか、それよりも若干大きく設定されている。具体的には、角穴パンチキャリヤ形テーピング１０のテープ幅Ｗ＝８ｍｍ、その厚みＴ＝１．４ｍｍ、トップカバーテープ１２およびボトムカバーテープ１３のテープ幅Ｗ１＝４．５ｍｍに対し、粘着テープ３の第１粘着テープ３１のテープ幅ｗ１＝４．５ｍｍ、第２粘着テープ３２のテープ幅ｗ２＝４．５ｍｍ、第１粘着テープ３１の下側端縁と第２粘着テープ３２の上側端縁との間隔ｔ＝１．４ｍｍに設定されている。
【００２３】
なお、後述するように、第２粘着テープ３２によって角穴パンチキャリヤ形テーピング１０の引き出し力に抗することになることから、粘着テープ３の強度、すなわち、テープ材質および粘着剤の種類などを引き出し力に十分に抗するように設定する必要がある。
【００２４】
次に、このように構成した接続用テープ１を用いて角穴パンチキャリヤ形テーピング１０を接続する場合を説明する。
【００２５】
まず、保護テープ４の離型部４１を把持し、保護テープ４から離型紙２の上半部を剥離して一対の折り目２ａ，２ｂに沿って折り込むことにより、保護テープ４に対して略直交する支持部２１を形成する（図３参照）。また、離型紙２の上端縁部を下端縁部に重ね合わせ、上下端縁部に形成された切れ目２ｘ，２ｙ同士を差し込んで係止させることにより、離型紙２の上下端縁部の重ね合わせ状態、すなわち、支持部２１の形成状態を保持する。
【００２６】
次いで、新しい角穴パンチキャリヤ形テーピング１０の始端部を把持し、その角穴装着穴１１ｂが形成された側の側端縁を離型紙２に形成された支持部２１に支持した後、保護テープ４から離型紙２の上半部を剥離させることによって露出した第１粘着テープ３１の粘着面の左右略一半部に押し付け、新しい角穴パンチキャリヤ形テーピング１０のトップカバーテープ１２を第１粘着テープ３１に貼着する（図４参照）。
【００２７】
この際、一対の折り目２ａ，２ｂのうち、下方の折り目２ｂに沿って第１粘着テープ３１の下端縁が位置して保護テープ４に貼着されていることにより、離型紙２の支持部２１に支持された新しい角穴パンチキャリヤ形テーピング１０の角穴装着穴１１ｂが形成された側の側端縁は、第１粘着テープ３１の下端縁に一致しており、このため、新しい角穴パンチキャリヤ形テーピング１０のトップカバーテープ１２を第１粘着テープ３１に下端縁同士を一致させて貼着することができる。しかも、角穴パンチキャリヤ形テーピング１０のトップカバーテープ１２の幅Ｗ１および第１粘着テープ３１の幅ｗ１は、同一であることから、送り穴１１ａを塞ぐことなく貼着することができる。
【００２８】
同様に、旧い角穴パンチキャリヤ形テーピング１０の終端部を把持し、その角穴装着穴１１ｂが形成された側の側端縁を離型紙２の支持部２１に支持した後、先に貼着された新しい角穴パンチキャリヤ形テーピング１０の始端部の端縁に旧い角穴パンチキャリヤ形テーピング１０の終端部の端縁を突き合わせるとともに、露出された粘着テープ３の第１粘着テープ３１の粘着面の残半部に押し付け、旧い角穴パンチキャリヤ形テーピング１０のトップカバーテープ１２を第１粘着テープ３１に貼着する（図５参照）。
【００２９】
旧い角穴パンチキャリヤ形テーピング１０の貼着に際しても、先に貼着した新しい角穴パンチキャリヤ形テーピング１０の場合と同様に、旧い角穴パンチキャリヤ形テーピング１０の角穴装着穴１１ｂが形成された側の側端縁を、第１粘着テープ３１の下端縁に一致させて、かつ、送り穴１１ａを塞ぐことなく、トップカバーテープ１２を第１粘着テープ１２に貼着することができる。
【００３０】
このように、第１粘着テープ３１の粘着面に、新しい角穴パンチキャリヤ形テーピング１０の始端部側トップカバーテープ１２および旧い角穴パンチキャリヤ形テーピング１０の終端部側トップカバーテープ１２をそれぞれ貼着したならば、折り重ねた離型紙２を保護テープ４から剥離して除去し、粘着テープ３の第２粘着テープ３２を露出させた後（図６参照）、保護テープ４を角穴パンチキャリヤ形テーピング１０の角穴装着穴１１ｂが形成された側の側端縁を経て折り返し、端縁同士が突き合わされて第１粘着テープ３１にトップカバーテープ１２同士が貼着されている新しい角穴パンチキャリヤ形テーピング１０の始端部側ボトムカバーテープ１３および旧い角穴パンチキャリヤ形テーピング１０の終端部側ボトムカバーテープ１３にわたって第２粘着テープ３２の粘着面を押し付けて貼着する（図７参照）。
【００３１】
この際、第２粘着テープ３２の上端縁は、第１粘着テープ３１の下端縁から角穴パンチキャリヤ形テーピング１０の厚みＴと等しい間隔ｔをおいて保護テープ４に貼着されていることから、保護テープ４を折り返した際の第２粘着テープ３１の上端縁は、新旧の角穴パンチキャリヤ形テーピング１０の角穴装着穴１１ｂが形成された側の側端縁、すなわち、ボトムカバーテープ１３の下端縁に一致しており、このため、新旧の角穴パンチキャリヤ形テーピング１０のボトムカバーテープ１３に第２粘着テープ３２を端縁同士を一致させて貼着することができる。しかも、角穴パンチキャリヤ形テーピング１０のボトムカバーテープ１３の幅Ｗ１および第２粘着テープ３２の幅ｗ２は、同一であることから、送り穴１１ａを塞ぐことなく貼着することができる。
【００３２】
この後、保護テープ４を外方に開き出すことにより、新旧の角穴パンチキャリヤ形テーピング１０のトップカバーテープ１２にわたって貼着されている第１粘着テープ３１およびそれらのボトムカバーテープ１３にわたって貼着されている第２粘着テープ３２から保護テープ４を剥離させる（図８参照）。
【００３３】
この結果、新旧の角穴パンチキャリヤ形テーピング１０，１０の端部において、それらのトップカバーテープ１２にわたって第１粘着テープ３１が貼着され、それらのボトムカバーテープ１３にわたって第２粘着テープ３２が貼着されることから、新旧の角穴パンチキャリヤ形テーピング１０，１０を接続することができる。しかも、角穴パンチキャリヤ形テーピング１０の送り穴１１ａは、第１粘着テープ３１および第２粘着テープ３２によって塞がれることがないため、角穴パンチキャリヤ形テーピング１０の供給に支障をきたすことがない。
【００３４】
ここで、トップカバーテープ１２を剥離して実装部品を角穴装着穴１１ｂから取り出す場合を想定すると、図９に示すように、トップカバーテープ１２に貼着された第１粘着テープ３１も剥離されることになるが、新旧の角穴パンチキャリヤ形テーピング１０，１０のボトムカバーテープ１３には第２粘着テープ３２が貼着されていることにより、角穴パンチキャリヤ形テーピング１０の引き出し力によって分離することを確実に防止することができる。しかも、従来の接続テープに比較して、角穴パンチキャリヤ形テーピング１０の送り穴１１ａに対応する送り穴を形成した粘着テープが不要になるため、コストを削減することができる。
【００３５】
また、離型紙２に形成された一対の折り目２ａ，２ｂに沿って折り込むことにより、角穴パンチキャリヤ形テーピング１０の支持部２１を形成することができることから、接続用治具を備えていない場合であっても、コストアップを招くことなく角穴パンチキャリヤ形テーピング１０を粘着テープ３の第１粘着テープ３１に位置決めして簡単に貼着することができる。
【００３６】
なお、前述した実施形態においては、新しい角穴パンチキャリヤ形テーピング１０の始端部を第１粘着テープ３１の略一半部に貼着し、その後、旧い角穴パンチキャリヤ形テーピング１０の終端部を第１粘着テープ３１の残半部に貼着する場合について例示したが、先に旧い角穴パンチキャリヤ形テーピング１０を第１粘着テープ３１に貼着してもよい。
【００３７】
また、第１粘着テープ３１にそれぞれ新旧の角穴パンチキャリヤ形テーピング１０のトップカバーテープ１２を順に貼着し、その後、それらのボトムカバーテープ１３にわたって第２粘着テープ３２を貼着する場合を説明したが、先に新旧の角穴パンチキャリヤ形テーピング１０のボトムカバーテープ１３を順に貼着し、その後、それらのトップカバーテープ１２にわたって第２粘着テープ３２を貼着するようにしてもよい。
【００３８】
さらに、離型紙２の支持部２１に角穴パンチキャリヤ形テーピング１０の角穴装着穴１０ｂ側の側端縁を支持して、そのトップカバーテープ１２またはボトムカバーテープ１３に第１粘着テープ３１を貼着する場合を説明したが、角穴パンチキャリヤ形テーピング１０の送り穴１１ａを塞ぐことなくトップカバーテープ１２またはボトムカバーテープ１３に第１粘着テープ３１を貼着すればよいことから、角穴パンチキャリヤ形テーピング１０を離型紙２の支持部２１に支持する際、離型紙２の折り目２ｂに対して第１粘着テープ３１の上端縁が角穴パンチキャリヤ形テーピング１０の角穴装着穴１１ｂ側の側端縁に重なるように保護テープ４に貼着することにより、離型紙２の支持部２１に角穴パンチキャリヤ形テーピング１０の送り穴１１ａ側の側端縁を支持するようにしてもよい。この場合は、角穴パンチキャリヤ形テーピング１０の送り穴１１ａ側の側端縁からボトムカバーテープ１３またはトップカバーテープ１２の上端縁までの距離（Ｗ−Ｗ１）の２倍に、角穴パンチキャリヤ形テーピング１０の厚みＴを加えた長さだけ第１粘着テープ３１の下端縁から間隔をおいて第２粘着テープ３２を保護テープ４に貼着すればよい。
【００３９】
【発明の効果】
以上のように発明によれば、角穴パンチキャリヤ形テーピングの円滑な供給を阻害することなく、かつ、コストを削減して角穴パンチキャリヤ形テーピングを簡単確実に接続することができる。
【図面の簡単な説明】
【図１】本発明の角穴パンチキャリヤ形テーピングの接続用テープを示す平面図およびそのＸ−Ｘ線からの模式的な断面図である。
【図２】図１の接続用テープの分解斜視図である。
【図３】離型紙の支持部を形成した接続用テープを示す裏面側斜視図である。
【図４】本発明の角穴パンチキャリヤ形テーピングの接続方法を説明する工程図である。
【図５】本発明の角穴パンチキャリヤ形テーピングの接続方法を説明する工程図である。
【図６】本発明の角穴パンチキャリヤ形テーピングの接続方法を説明する工程図である。
【図７】本発明の角穴パンチキャリヤ形テーピングの接続方法を説明する工程図である。
【図８】本発明の角穴パンチキャリヤ形テーピングの接続方法を説明する工程図である。
【図９】本発明の接続用テープによって接続された新旧の角穴パンチキャリヤ形テーピングの接続部分を示す斜視図である。
【図１０】角穴パンチキャリヤ形テーピングを一部省略して示す平面図およびその端面図である。
【図１１】角穴パンチキャリヤ形テーピングを示す斜視図である。
【符号の説明】
１  接続用テープ
２  離型紙
２ａ，２ｂ  折り目
２ｘ，２ｙ  切れ目
２１  支持部
３  粘着テープ
３１  第１粘着テープ
３２  第２粘着テープ
４  保護テープ
４１  離型部
１０  角穴パンチキャリヤ形テーピング
１１  角穴パンチキャリヤテープ
１１ａ  送り穴
１１ｂ  角穴装着穴
１２  トップカバーテープ
１３  ボトムカバーテープ
【図１】
0003699684.tif 000002
【図２】
0003699684.tif 000003
【図３】
0003699684.tif 000004
【図４】
0003699684.tif 000005
【図５】
0003699684.tif 000006
【図６】
0003699684.tif 000007
【図７】
0003699684.tif 000008
【図８】
0003699684.tif 000009
【図９】
0003699684.tif 000010
【図１０】
0003699684.tif 000011
【図１１】
0003699684.tif 000012